(57)【要約】【課題】様々な形状および大きさの物品を衝撃から保護し、容器内にがたつき無く容易に収容する。【解決手段】固定部材５上にクッション材４を配置し、その上に物品２を置いた状態で、固定部材５の各スリット７から延びているテープ材１を全て物品２上に集め、互いに対向するテープ材１の面ファスナー同士を互いに接続して、物品２上で連結させる。こうして連結されたテープ材１と固定部材５との間の空間内にクッション材４および物品２が保持される。各テープ材１を引っ張って物品２の上方で弛みのない状態にして面ファスナー同士を接続させることによって、物品２を、クッション材４を介して固定部材５上にしっかりと保持することができる。【選択図】図１
2007314208.tif 000002
【特許請求の範囲】
【請求項１】
物品を支持する固定部材と、一端部が前記固定部材に対して固定されており、少なくとも他端部に面ファスナーが設けられている複数のテープ材とを有し、
前記複数のテープ材の各々は、他の前記テープ材のうちの少なくとも１つと、それぞれの前記面ファスナー同士が互いに接続されることによって、前記固定部材の上方にて連結可能である、
物品の固定装置。
【請求項２】
前記固定部材上に位置する前記物品を、互いに連結された複数の前記テープ材と前記固定部材との間の空間内に保持可能である、請求項１に記載の物品の固定装置。
【請求項３】
物品を支持する固定部材と、一端部が前記固定部材に対して固定されており、少なくとも他端部に面ファスナーが設けられている複数のテープ材とを有し、
前記複数のテープ材の各々は、前記固定部材上を横切って延びた状態で、前記面ファスナーが、前記固定部材に設けられている面ファスナーに接続されることによって、前記他端部が前記固定部材に対して固定可能である、
物品の固定装置。
【請求項４】
前記固定部材上に位置する前記物品を、前記固定部材上を横切って延びている前記テープ材と前記固定部材との間の空間内に保持可能である、請求項３に記載の物品の固定装置。
【請求項５】
前記固定部材上に配置されるクッション材を有しており、前記固定部材は前記クッション材を介して前記物品を支持する、請求項１から４のいずれか１項に記載の物品の固定装置。
【請求項６】
請求項１から５のいずれか１項に記載の物品の固定装置と、前記固定部材が固定される底部材と、前記底部材と接合されて、少なくとも前記固定部材と前記テープ材と前記物品を覆う容器を構成する中空の上部材とを有している、物品の梱包装置。
【請求項７】
物品を支持する固定部材と、一端部が前記固定部材に対して固定されており、少なくとも他端部に面ファスナーが設けられている複数のテープ材とを用いる、物品の固定方法であって、
前記固定部材上に前記物品を配置するステップと、
複数の前記テープ材を、それぞれの前記面ファスナー同士を互いに接続させることによって前記固定部材の上方にて連結して、前記固定部材上に位置する前記物品を、互いに連結された複数の前記テープ材と前記固定部材との間の空間内に保持するステップと、
を含む物品の固定方法。
【請求項８】
物品を支持する固定部材と、一端部が前記固定部材に対して固定されており、少なくとも他端部に面ファスナーが設けられている複数のテープ材とを用いる、物品の固定方法であって、
前記固定部材上に前記物品を配置するステップと、
前記各テープ材を、前記固定部材上を横切って延ばし、かつ前記面ファスナーを、前記固定部材に設けられている面ファスナーに接続させることによって、前記固定部材上に位置する前記物品を、前記固定部材上を横切って延びている前記テープ材と前記固定部材との間の空間内に保持するステップと、
を含む物品の固定方法。
【請求項９】
前記固定部材上に前記物品を配置するステップにおいて、前記固定部材上に配置されたクッション材上に前記物品を配置する、請求項７または８に記載の物品の固定方法。
【請求項１０】
互いに接合されて容器を構成する底部材および上部材を用いる、物品の梱包方法であって、
請求項７から９のいずれか１項に記載の物品の固定方法の各ステップと、
前記固定部材を前記底部材に固定するステップと、
前記上部材を、前記テープ材によって前記固定部材上に固定された前記物品を覆うように前記底部材に接合して、前記容器を構成するステップと、
を含む物品の梱包方法。
【発明の詳細な説明】
【技術分野】
【０００１】
本発明は、物品の固定装置および梱包装置と、物品の固定方法および梱包方法に関する。
【背景技術】
【０００２】
従来、物品を搬送または保管するために梱包する際には、段ボール箱などの容器内に物品を収容するのが一般的である。特に、精密な電子部品や破損し易い物品を梱包する際には、物品を緩衝材によって覆った状態で容器内に収容することによって、物品を衝撃から保護している。
【０００３】
物品を保護するための代表的な緩衝材として、いわゆる発泡スチロール（発泡性のポリスチレン）材や立体成形された厚紙材に凹部を形成しておき、この凹部内に物品の少なくとも一部を嵌合させて物品を保持するものがある（特許文献１，２参照）。また、物品を包み込む可撓性のエアパッキン（エアキャップ）が緩衝材として用いられることも多い（特許文献３参照）。
【特許文献１】特開２００５−２１２８１５号公報
【特許文献２】特開２００５−３１３９４２号公報
【特許文献３】特開平０５−００４６６５号公報
【発明の開示】
【発明が解決しようとする課題】
【０００４】
前記した従来の緩衝材のうち、発泡スチロール材や厚紙材は、収容する容器に合わせた外形に形成され、物品の形状に対応する凹部が設けられている。このような緩衝材は特定の容器内に特定の形状および大きさの物品を収容する場合には非常に好適であるが、様々の形状または大きさの物品に流用できるものではない。すなわち、緩衝材を、梱包すべき物品ごとにそれぞれオーダーメード式に製造しなければならず、汎用性を持たせることはできない。
【０００５】
一方、エアパッキンは、可撓性のシート状であるため、様々な形状および大きさの物品を包み込むことができる。しかし、この場合、物品をエアパッキンによって包み込んだ状態では、容器の内部形状に対応する外形にはならないため、容器内でがたつきを生じる可能性が高い。従って、エアパッキンによる緩衝効果はあるものの、容器内でがたつくことによる破損等の危険性は解消されない。容器内での物品のがたつきを抑えるためには、別の緩衝材を容器内に詰め物として挿入するなど面倒な作業が必要であり、効率が非常に悪い。
【０００６】
このように、衝撃に弱い物品を梱包する際に、物品の大きさおよび形状に合わせた凹部を有する緩衝材をその都度製造することは非効率的かつ非経済的であり、特に、梱包すべき物品の数量が少ない場合には適していない。一方、可撓性の緩衝材によって物品を包み込む場合には、緩衝材に包み込まれた物品を箱などの容器内にがたつくことなく収容することが困難であり、がたつきを解消するためには余分な部材および作業が必要になる。
【０００７】
そこで本発明の目的は、様々な形状および大きさの物品を衝撃から保護し、容器内にがたつき無く容易に収容できる、物品の固定装置および梱包装置と、物品の固定方法および梱包方法を提供することにある。
【課題を解決するための手段】
【０００８】
本発明の物品の固定装置は、物品を支持する固定部材と、一端部が固定部材に対して固定されており、少なくとも他端部に面ファスナーが設けられている複数のテープ材とを有し、複数のテープ材の各々は、他のテープ材のうちの少なくとも１つと、それぞれの面ファスナー同士が互いに接続されることによって、固定部材の上方にて連結可能であることを特徴とする。この場合、固定部材上に位置する物品を、互いに連結された複数のテープ材と固定部材との間の空間内に保持可能である。
【０００９】
本発明のもう１つの物品の固定装置は、物品を支持する固定部材と、一端部が固定部材に対して固定されており、少なくとも他端部に面ファスナーが設けられている複数のテープ材とを有し、複数のテープ材の各々は、固定部材上を横切って延びた状態で、面ファスナーが、固定部材に設けられている面ファスナーに接続されることによって、他端部が固定部材に対して固定可能であることを特徴とする。この場合、固定部材上に位置する物品を、固定部材上を横切って延びているテープ材と固定部材との間の空間内に保持可能である。
【００１０】
これらの構成によると、面ファスナーを有するテープ材によって、固定部材上に物品を固定することができる。特に、面ファスナーの接続位置を調整することによってテープ材の弛みをなくし、テープ材の張力を物品に作用させて物品をしっかりと固定することができる。従って、様々な大きさおよび形状の物品を固定する場合であっても、面ファスナーの接続位置を調整することによって対応でき、がたつきの発生を抑えられる。
【００１１】
なお、固定部材上に配置されるクッション材を有しており、固定部材はクッション材を介して物品を支持するものであってもよい。この構成によると、クッション材が固定部材側からの衝撃に対する緩衝材として作用し、物品を保護することができる。
【００１２】
本発明の物品の梱包装置は、前記した物品の固定装置と、固定部材が固定されている底部材と、底部材と接合されて、少なくとも固定部材とテープ材と物品を覆う容器を構成する中空の上部材とを有している。この構成によると、前記した通り、物品のがたつきが抑えられているため、容器内で物品が移動することがなく、破損を抑えることができる。
【００１３】
本発明の物品の固定方法は、物品を支持する固定部材と、一端部が固定部材に対して固定されており、少なくとも他端部に面ファスナーが設けられている複数のテープ材とを用いる、物品の固定方法であって、固定部材上に物品を配置するステップと、複数のテープ材を、それぞれの面ファスナー同士を互いに接続させることによって固定部材の上方にて連結して、固定部材上に位置する物品を、互いに連結された複数のテープ材と固定部材との間の空間内に保持するステップとを含む。
【００１４】
本発明のもう１つの物品の固定方法は、物品を支持する固定部材と、一端部が固定部材に対して固定されており、少なくとも他端部に面ファスナーが設けられている複数のテープ材とを用いる、物品の固定方法であって、固定部材上に物品を配置するステップと、各テープ材を、固定部材上を横切って延ばし、かつ面ファスナーを、固定部材に設けられている面ファスナーに接続させることによって、固定部材上に位置する物品を、固定部材上を横切って延びているテープ材と固定部材との間の空間内に保持するステップとを含む。
【００１５】
固定部材上に物品を配置するステップにおいて、固定部材上に配置されたクッション材上に物品を配置してもよい。
【００１６】
本発明の物品の梱包方法は、互いに接合されて容器を構成する底部材および上部材を用いる、物品の梱包方法であって、前記した物品の固定方法の各ステップと、固定部材を底部材に固定するステップと、上部材を、テープ材によって固定部材上に固定された物品を覆うように底部材に接合して、容器を構成するステップとを含む。
【発明の効果】
【００１７】
本発明によると、大きさや形状の異なる様々な物品をしっかりと固定でき、しかも容器内におけるがたつきを抑えることができるため、物品を衝撃から保護することができる。さらに、本発明の固定装置および梱包装置は、汎用性を有するとともに、容易に繰り返し使用することができる。
【発明を実施するための最良の形態】
【００１８】
以下、本発明の実施の形態について、図面を参照して説明する。
【００１９】
図１を参照して、本発明の梱包装置を構成する各構成部材について説明する。この梱包装置は、物品２を梱包するものであり、組み合わされて中空の外装箱を構成する上部材６および底部材３（図２参照）と、外装箱内に収容される固定装置とを有している。固定装置は、主に、板状の固定部材５と、固定部材５上に置かれるウレタン等からなる板状のクッション材（緩衝材）４と、複数のテープ材１からなる。
【００２０】
底部材３内には、板状の固定部材５がはめ込まれ、図示しない面ファスナー等によって互いに固定されている。図３に示すように、固定部材５には複数のスリット７が設けられている。スリット７は、概ね四角形の四辺に沿って配置されている。図示されている例では、図３の左右の辺に沿って１つずつスリット７が設けられており、左辺に沿うスリット７と右辺に沿うスリット７は互いに対向している。また、図３の上下の辺に沿って２つずつスリット７が設けられており、上辺に沿うスリット７と下辺に沿うスリット７は互いに対向している。固定部材５上の各スリット７に囲まれた空間は、少なくとも梱包すべき物品２よりも広い面積を有しており、この空間に、クッション材４を介して物品２が置かれる。
【００２１】
固定部材５には複数のテープ材１が取り付けられている。これらのテープ材１は、一端部がスリット７を貫通して固定部材５の下方に位置し、図示しないビス等によって固定部材５の裏面に固定されている。一方、物品を梱包していない状態では、テープ材１の他端部は固定部材５の上方で自由になっており、図面には表されていないが、この他端部には面ファスナーが設けられている。図３の左右の辺に沿って設けられているスリット７を貫通するテープ材１は、図３の上下の辺に沿って設けられているスリット７を貫通するテープ材１と交差する方向（本例では直交する方向）に延びている。
【００２２】
このような本発明の梱包装置によって物品２を梱包する方法について説明する。まず、テープ材１の一端部を、固定部材５のスリット７を貫通させて固定部材５の下方に突出させ、図示しないビス等を用いて固定部材５の裏面に固定する。そして、この固定部材５を底部材３内に挿入し、図示しない面ファスナー等を用いて底部材３に固定する。
【００２３】
そこで、固定部材５の、各スリット７に囲まれた空間にクッション材４を配置し、さらにクッション材４の上に、梱包すべき物品２を置く。そして、固定部材５の各方向のスリット７から延びているテープ材１を全て物品２上に集め、面ファスナー同士を互いに接続する。本実施形態では、固定部材５には、複数のスリット７が２つずつ互いに対向して３つの対をなすように設けられているので、対をなすスリット７を貫通するテープ材１同士を、それぞれの面ファスナー同士を接続させることによって、物品２上で連結させる（図４参照）。このようにテープ材１が連結されることによって、固定部材５上にループが構成され、そのループ内に物品２が保持される状態になる。３対のテープ材１がそれぞれ連結されて構成される各ループの内側に、物品２が保持される。すなわち、連結されたテープ材１と固定部材５との間の空間内にクッション材４および物品２が保持される。特に、各テープ材１を引っ張って物品２の上方で弛みのない状態にして面ファスナー同士を接続させることによって、物品２を、クッション材４を介して固定部材５上にしっかりと保持することができる。
【００２４】
さらに、上部材６を、テープ材１によって固定部材５およびクッション材４上に保持された物品２の上から被せ、図示しないが、プラスチックジョイント等を用いて上部材６を底部材３に固定して箱状の容器を構成する。
【００２５】
このようにして、物品２を、上部材６と底部材３からなる箱状の容器内に収容する。この物品２は、クッション材４によって、容器底面側（底部材３側）からの衝撃から保護される。また、仮に上部材６に衝撃が加わったとしても、物品２は上部材６に直接接触しない状態で保持されているため、その衝撃が直接物品２に伝わることはなく、物品２を衝撃から保護することができる。さらに、図４に示すように、物品２は、弛みのない状態で互いに連結された各テープ材１によってしっかりと保持されるため、箱状の容器の中でがたつくことがない。従って、容器の搬送時などに物品２が容器内で移動して衝撃を受けることが抑えられる。物品２が固定されている固定部材５は底部材３に固定されているため、物品２が固定部材５ごとがたつくこともない。また、物品２の一部はテープ材１に覆われており、露出している部分が少ないため、テープ材１が緩衝材として働き、物品２を保護している。
【００２６】
そして、この構成によると、互いに接続されている面ファスナーを引き剥がすことによって、テープ材１の連結を容易に解除することができる。こうしてテープ材１の連結を解除したら、物品２をクッション材４上から容易に取り出すことができる。
【００２７】
その後、再び物品２を収容する場合には、前記したのと同様に、物品２を固定部材５上のクッション材４上に置き、３対のテープ材１を弛みのない状態にして物品２上でそれぞれ連結させることによって、物品２をしっかりと保持できる。このように、この固定装置および梱包装置は何度でも繰り返し使用可能であり、緩衝性に優れた梱包を繰り返し行える。さらに、この構成によると、互いに連結されたテープ材１のループの内側に配置可能である限り、面ファスナーの接続位置を調節することによって、あらゆる形状および大きさの物品２を梱包できる。しかも、衝撃に対する物品２の保護性能に優れている。
【００２８】
この構成において、テープ材１の他端部の面ファスナーが、テープ材１の長手方向に沿って広い範囲に設けられているほど、テープ材１を連結することによって構成されるループを小さくすることができるため、特に小さい物品２の保持が可能になる。テープ材１の全面に面ファスナーを設けた構成にすると、汎用性がより高まるとともに、長いテープ材を作成してから切断して多数のテープ材１を得ることができ、多数のテープ材１の一括製造に適している。
【００２９】
また、本実施形態のテープ材１は、他のテープ材１との連結を解除した状態で、ビスを緩めて一端部を固定部材５から外し、スリット７を通過させることによって、容易に取り外し、他のテープ材１と交換することができる。すなわち、想定外の大きさおよび形状の物品を梱包する必要が生じた場合にも、長さや面ファスナーが設けられている範囲が異なる、他のテープ材１と交換することによって容易に対応可能になる。ただし、このようにテープ材１を交換する可能性がない場合には、テープ材１の一端部を固定部材５に離脱不能に固定してもよい。また、スリット７を省略して、テープ材１を固定部材５に直接固定する構成にしてもよい。
【００３０】
前記した例では、テープ材１によって物品２を固定部材５およびクッション材４上に保持した後に、上部材６と底部材３からなる箱状の容器内に収容する構成について説明した。しかし、物品２は本発明の固定装置によってしっかりと保持され、具体的にはテープ材１によって固定部材５およびクッション材４上にしっかりと保持されているため、容器に収容することなくそのまま搬送または保管することも可能である。箱状の容器を用いるか否かは、搬送または保管の形態に応じて、その都度任意に決定すればよい。
【００３１】
また、前記した例では、テープ材１の一端部をビス等によって固定部材５に固定し、固定部材５を図示しない面ファスナーによって底部材３に固定している。しかし、テープ材１の一端部にも面ファスナーを設けておき、テープ材１の一端部を固定部材５のスリット７を貫通させた状態で、底部材３の底部の内面に予め設けられている面ファスナー（図示せず）に接続することによって、テープ材１の一端部を底部材３および固定部材５に対して固定する構成にしてもよい。その場合、テープ材１の一端部と固定部材５と底部材３とを一度に固定できるため、構成および組み立て作業が簡単になる。この場合、前記したようにテープ材１の全面に面ファスナーが設けられていると、特に効果的である。
【００３２】
なお、固定部材５にスリット７およびテープ材１を配置する位置や個数は任意に変更可能である。各スリット７および各テープ材１に囲まれる空間内に物品２を配置可能であれば、スリット７およびテープ材１は正確に対向する対を形成していなくてもよい。また、１本のテープ材１が、複数のテープ材１と互いに連結される構成であっても構わない。
【００３３】
本発明の変更例として、前記したように複数のテープ材１を物品２の上方で互いに連結させるのではなく、図示しないが、テープ材の他端部に設けられている面ファスナーを、固定部材５に予め設けられている面ファスナーに接続させる構成としてもよい。その場合には、１本のテープ材が固定部材５の上方を横切って延びて、１本のテープ材１のみによって固定部材５の上方にループを形成することができる。この構成によると、図４に示すのと実質的に同様な固定形態を、より少ない数のテープ材１によって構成することが可能である。
【図面の簡単な説明】
【００３４】
【図１】物品を保持する前の状態の、本発明の梱包装置の分解斜視図である。
【図２】図１に示す梱包装置の底部材を示す斜視図である。
【図３】図１に示す梱包装置の固定部材を示す平面図である。
【図４】物品を保持している状態の、本発明の梱包装置の分解斜視図である。
【符号の説明】
【００３５】
１      テープ材
２      物品
３      底部材
４      クッション材
５      固定部材
６      上部材
７      スリット
【図１】
2007314208.tif 000003
【図２】
2007314208.tif 000004
【図３】
2007314208.tif 000005
【図４】
2007314208.tif 000006